(57)【要約】      （修正有）【課題】角度調整可能で素早く簡単な取付け取外しができる自転車ライトの支持部締着構造を提案する。【解決手段】支持部本体、締着体、バンド、前嵌合部、角度調節部、バネにより構成され、支持部本体一側面に前嵌合部を設け、その支持部本体の前嵌合部とは異なる側面には対応する嵌合板と引掛部を設ける。嵌合板から前嵌合部を離して、バンドを引っ張って自転車サドルシートピラーに繞設、支持部本体を嵌合固定させて、更に前嵌合部を支持部本体に嵌合し戻す。前嵌合部両側にある軸孔は、角度調節部とバネを内設する為のもので、定位用である歯車と内歯を設ける角度調節部を押圧すると定位状態が解除され、角度調節が行える。角度調節部中央に設けた嵌合溝は、ライト後蓋の引掛部を取り付ける為のもので、嵌合溝に設けた嵌合板には凸部を、引掛部には凸部に対応する凹部を設けてあり、引掛部が押されて嵌合溝に嵌入する場合のロック作用となる。【選択図】図２
0003120576.tif 000002
【実用新案登録請求の範囲】
【請求項１】
自転車ライトの角度調整可能な支持部締着構造は、ライト底面に設けた後蓋に引掛部を設け、その引掛部を角度調節部の嵌合溝に取り付けるものであり、主に、支持部本体、前嵌合部、締着体、バンドにより構成された自転車ライトの角度調整可能な支持部締着構造において、
一側面に前嵌合部を枢着し、もう一方側面には弾性のある嵌合板を設け、嵌合板と同側面に、バンドを嵌合固定する為の引掛部を設ける支持部本体と、
上方に設ける軸孔は前記角度調節部を内設する為のものであり、下方で前記支持部本体の嵌合板に対応する箇所には引掛部を設け相互に嵌合ロックする作用を持ち、引掛部と異なる側面にバンドを貫設する為の金属リングを設ける前嵌合部と、
前記支持部本体の底部に設ける締着体と、
一側面には金属リングを枢着、上面には余ったバンドを挿入して止める為の輪を設けるバンドを備えることを特徴とする自転車ライトの角度調整可能な支持部締着構造。
【請求項２】
請求項１記載の自転車ライトの角度調整可能な支持部締着構造において、ライトはＬＥＤ灯であることを特徴とする自転車ライトの角度調整可能な支持部締着構造。
【請求項３】
請求項１記載の自転車ライトの角度調整可能な支持部締着構造において、ライトのスイッチは、６段切替え機能であり、スイッチを一回押すと全点灯、スイッチを二回押すと中央から両側方向に徐々に点灯、スイッチを三回押すと両側から中央方向の徐々に点灯、スイッチを四回押すとすばやく点滅、スイッチを五回押すとゆっくり点滅、スイッチを六回押すと全消灯することを特徴とする自転車ライトの角度調整可能な支持部締着構造。
【請求項４】
請求項１記載の自転車ライトの角度調整可能な支持部締着構造において、角度調節部の嵌合溝には、弾性のある嵌合板を設け、その嵌合板は外側方向に延伸しているプッシュ部を含んでおり、嵌合板上と後蓋の引掛部間には相互に嵌合固定する為の凸部と凹部を設けることを特徴とする自転車ライトの角度調整可能な支持部締着構造。
【請求項５】
請求項１記載の自転車ライトの角度調整可能な支持部締着構造において、前嵌合部の軸孔に内設した角度調節部に弾力を与えるバネの力により位置を戻した角度調節部と前嵌合部箇所には、互いに定位する為の歯車と内歯を設け、角度調節部には軸孔から表出するプッシュボタンを設けることを特徴とする自転車ライトの角度調整可能な支持部締着構造。
【請求項６】
請求項１記載の自転車ライトの角度調整可能な支持部締着構造において、支持部本体上部には複数列の歯溝を設け、バンド表面には歯溝と噛み合う複数列の刻目を設けることを特徴とする自転車ライトの角度調整可能な支持部締着構造。
【請求項７】
請求項１記載の自転車ライトの角度調整可能な支持部締着構造において、締着体とバンドは強靭性と滑止作用を持つゴム材質により作成されることを特徴とする自転車ライトの角度調整可能な支持部締着構造。
【考案の詳細な説明】
【技術分野】
【０００１】
本考案の自転車ライトの角度調整可能な支持部締着構造は、主に、角度調節と素早く簡単な取外し取付けの技術上に応用したものである。
【背景技術】
【０００２】
現在市場に出ている自転車ライトは、一般には固定式が採用されており、角度調節ができないことの他、素早く簡単な取外し取付けができず、問題点と欠点の解決、克服が待たれている状況である。
【考案の開示】
【考案が解決しようとする課題】
【０００３】
本考案がライト後蓋に引掛部を設け、角度調節部には嵌合溝を設け、ライト後蓋の引掛部は前方開口から嵌合溝に嵌入、同時に引掛部を固定する為に、嵌合溝には弾性のある嵌合板を設け、嵌合板には、引掛部の凹部と定位する凸部を設ける他、外側に延伸して下向きに押圧する為のプッシュ部を設けており、ライト後蓋の引掛部を押して嵌合溝に嵌入させる場合は、引掛部の凹部を嵌合板の凸部に直接嵌合固定し、ライトの後蓋を取り出す場合は、嵌合板のプッシュ部を下に押圧するのみで、引掛部の凹部を嵌合板の凸部から離脱させることができる本考案は、素早く簡単にライトの取付け取外しができるという特徴を持つ自転車ライトの角度調整可能な支持部締着構造である。
【０００４】
本考案がライトの角度調節は、前嵌合部両側の軸孔に内設され、軸孔の一側面にはバネを設け、軸孔のもう一方側面には定位用の内歯を設け、角度調節部の内歯に対応する箇所には歯車を設け、角度を調節する場合には、角度調節部を押せばライトを適当な角度に回転させることができ、角度調節部を離すとバネの力によって戻されて、歯車は改めて内歯内に定位、角度調節の効果を達成する。
【０００５】
本考案が前嵌合部一側面は貫入部品により支持部本体上方に枢着され、前嵌合部のもう一方側と支持部本体に対応する箇所に相互に嵌合固定する引掛部と嵌合板を設け、嵌合板を押さえると前嵌合部を開くことができ、支持部本体下方には、ゴム材質で製造した締着体とバンドを設け、前嵌合部の引掛部とは別の一側面にバンドを取り付ける為の金属リングを設け、支持部本体の嵌合板と同側面箇所に、バンドを取り付ける金属リングを嵌合固定する為の引掛部を設け、支持部本体上方とバンドにはお互いに噛合う歯溝と刻目を設けており、使用者はバンドを引っ張るだけで更に前嵌合部を支持部本体に嵌合し戻して最後にバンドの余った部分を輪に挿入することにより、支持部締着部分の取付けが完了する。取外しの場合は、取り付けの反対順序で作業を進めるのみで完了、素早く簡単に支持部本体を取付け取外しができる自転車ライトの角度調整可能な支持部締着構造となる。
【課題を解決するための手段】
【０００６】
請求項１の考案は、自転車ライトの角度調整可能な支持部締着構造は、ライト底面に設けた後蓋に引掛部を設け、その引掛部を角度調節部の嵌合溝に取り付けるものであり、主に、支持部本体、前嵌合部、締着体、バンドにより構成された自転車ライトの角度調整可能な支持部締着構造において、
一側面に前嵌合部を枢着し、もう一方側面には弾性のある嵌合板を設け、嵌合板と同側面に、バンドを嵌合固定する為の引掛部を設ける支持部本体と、
上方に設ける軸孔は前記角度調節部を内設する為のものであり、下方で前記支持部本体の嵌合板に対応する箇所には引掛部を設け相互に嵌合ロックする作用を持ち、引掛部と異なる側面にバンドを貫設する為の金属リングを設ける前嵌合部と、
前記支持部本体の底部に設ける締着体と、
一側面には金属リングを枢着、上面には余ったバンドを挿入して止める為の輪を設けるバンドを備えることを特徴とする自転車ライトの角度調整可能な支持部締着構造としている。
請求項２の考案は、請求項１記載の自転車ライトの角度調整可能な支持部締着構造において、ライトはＬＥＤ灯であることを特徴とする自転車ライトの角度調整可能な支持部締着構造としている。
請求項３の考案は、請求項１記載の自転車ライトの角度調整可能な支持部締着構造において、ライトのスイッチは、６段切替え機能であり、スイッチを一回押すと全点灯、スイッチを二回押すと中央から両側方向に徐々に点灯、スイッチを三回押すと両側から中央方向の徐々に点灯、スイッチを四回押すとすばやく点滅、スイッチを五回押すとゆっくり点滅、スイッチを六回押すと全消灯することを特徴とする自転車ライトの角度調整可能な支持部締着構造としている。
請求項４の考案は、請求項１記載の自転車ライトの角度調整可能な支持部締着構造において、角度調節部の嵌合溝には、弾性のある嵌合板を設け、その嵌合板は外側方向に延伸しているプッシュ部を含んでおり、嵌合板上と後蓋の引掛部間には相互に嵌合固定する為の凸部と凹部を設けることを特徴とする自転車ライトの角度調整可能な支持部締着構造としている。
請求項５の考案は、請求項１記載の自転車ライトの角度調整可能な支持部締着構造において、前嵌合部の軸孔に内設した角度調節部に弾力を与えるバネの力により位置を戻した角度調節部と前嵌合部箇所には、互いに定位する為の歯車と内歯を設け、角度調節部には軸孔から表出するプッシュボタンを設けることを特徴とする自転車ライトの角度調整可能な支持部締着構造としている。
請求項６の考案は、請求項１記載の自転車ライトの角度調整可能な支持部締着構造において、支持部本体上部には複数列の歯溝を設け、バンド表面には歯溝と噛み合う複数列の刻目を設けることを特徴とする自転車ライトの角度調整可能な支持部締着構造としている。
請求項７の考案は、請求項１記載の自転車ライトの角度調整可能な支持部締着構造において、締着体とバンドは強靭性と滑止作用を持つゴム材質により作成されることを特徴とする自転車ライトの角度調整可能な支持部締着構造としている。
【考案の効果】
【０００７】
本考案は、素早く簡単に取付け取外しができ、角度調整が可能であることを特徴とする自転車ライトの角度調整可能な支持部締着構造である。
【考案を実施するための最良の形態】
【０００８】
自転車ライトの角度調整可能な支持部締着構造は、図１に本考案に関する立体組立見取図を、図２に立体分解見取図を、図３に正面組立見取図を示し、また、図４、図５には、図３のＤ−ＤとＳ−Ｓの断面組立見取図を示し、それはライト１０、後蓋２０、角度調節部３０、前嵌合部４０、バネ５９、支持部本体６０、締着体７０、バンド８０を含む。
【０００９】
ライト１０には、６段切替のスイッチ１１を設けて、ライトオンまたはライトオフの５つのＬＥＤ灯を提供（図中未表示）、スイッチ１１を一回押すと、ＬＥＤ灯（図中未表示）が全点灯し、スイッチ１１を二回押すと、ＬＥＤ灯（図中未表示）が中央から両側方向に徐々に点灯、スイッチ１１を三回押すと、ＬＥＤ灯（図中未表示）が両側から中央方向の徐々に点灯、スイッチ１１を四回押すと、ＬＥＤ灯（図中未表示）がすばやく点滅、スイッチ１１を五回押すと、ＬＥＤ灯（図中未表示）はゆっくり点滅、スイッチ１１を六回押すと、全てのＬＥＤ灯（図中未表示）が消灯する。ライト１０には、電池挿入部（図中未表示）及びその回路制御部品（図中未表示）等を設け、並びに、電池（図中未表示）がＬＥＤ灯（図中未表示）点灯に必要な電力を提供する。その電池挿入部（図中未表示）には、嵌入溝（図中未表示）とネジ孔（図中未表示）を設け、ネジ（図中未表示）を使って後蓋２０を被冠螺着する。
【００１０】
後蓋２０には、嵌合板（図中未表示）と透孔（図中未表示）を設け、その嵌合板（図中未表示）は、ライト１０の嵌合溝（図中未表示）内に嵌合するもので、ネジ（図中未表示）によって、透孔（図中未表示）とライト１０のネジ孔（図中未表示）を螺着、後蓋２０に設けた引掛部２１底面には凹部２２を設け、角度調節部３０と嵌合固定する。
【００１１】
角度調節部３０中央に設けた嵌合溝３１は、後蓋２０の引掛部２１を嵌入するもので、その嵌合溝３１内部に具える弾性のある嵌合板３２上に設ける凸部３３は、前記引掛部２１の凹部２２に定位する作用を持ち、嵌合板３２には外側方向に延伸している押圧する為のプッシュ部３４を設け、角度調節部３０の一側面にはバネ５０を内設するバネ溝３５と定位柱３６を設け、角度調節部３０のもう一方側面には一周する歯車３７及びプッシュボタン３８を繞設する。
【００１２】
前嵌合部４０は、二つの対称となるフレーム４１、フレーム４２により構成されるもので、ネジＰによって一体螺着、前嵌合部４０一側面には密封軸孔４３を、もう一方側面には貫通軸孔４４を設け、密封軸孔４３にはバネ５０を内設、貫通軸孔４４には前記角度調節部３０のプッシュボタン３８を表に出した状態で貫設、貫通軸孔４４に内設する内歯４５は、前記角度調節部３０の歯車３７に定位する作用を持つ。前嵌合部４０底部一側面に設ける枢着孔４６は、貫入部品Ｑによって支持部本体６０上に枢着され、前嵌合部４０底部のもう一方側面には引掛部４７を設け、その引掛部４７の反対側に設ける枢着孔４８は、バンド８０を穿設する為の金属リング４９を枢着する作用を持つ。
【００１３】
バネ５０は圧縮する弾性部品であり、角度調節部３０に弾性を加える作用を持つ。
支持部本体６０一側面上方に設ける枢着孔６１は、前嵌合部４０を枢着する為のものであり、支持部本体６０のもう一方側面上方に設けた弾性のある嵌合板６２は、前嵌合部４０の引掛部４７と嵌合定位する作用を持つ。支持部本体６０上部に設ける複数の歯溝６３底部には締着体７０を設け、嵌合板６２と同側面の支持部本体６０にはバンド８０に嵌合定位する為の引掛部６４を設ける。
【００１４】
締着体７０は、強靭性かつ滑止作用を持つゴム材質により作られる。
バンド８０は、強靭性かつ滑止作用を持つゴム材質で作られ、バンド８０一側面に設ける枢着孔８１には、金属リング８２を枢着する。バンド８０の枢着孔８１付近には輪８３を設け、バンド８０表面に設けた複数列の刻目８４は噛み合い作用を持つ。
【００１５】
前記各部品により構成される本考案は、自転車ライトの角度調整可能な支持部締着構造であり、実際の操作は次のとおりである。
図６〜図１０に本考案の支持部本体６０取り付け時の連続状態見取図を示す。支持部本体６０についてであるが、まずバンド８０は、前嵌合部４０の金属リング４９より差込んだ後、バンド８０の金属リング８２に挿入、同時に金属リング８２を支持部本体６０の引掛部６４に嵌合定位する。バンド８０と締着体７０は自転車サドル９０のシートピラー９１を包み込む状態となり、バンド８０をきつく締めた後、余ったバンド８０を輪８３まで戻して差込むと、支持部本体６０の取り付け作業が完了する。取り外す場合は、取り付け時の逆順序を行えば、支持部本体６０取り外し作業が完了、このように使用者は素早く簡単に支持部本体６０の自転車サドル９０シートピラー９１への取り付けと取外しができる。
【００１６】
図１１に本考案に関するライト１０取り付け時の状態見取図を示す。ライト１０を取り付ける場合、ライト１０後蓋２０の引掛部２１を角度調節部３０前方開口の嵌合溝３１内に押入れ、引掛部２１の凹部２２を嵌合板３２の凸部３３に直接嵌合固定すると、カチャという音がし、これでライト１０の取り付け作業が完了する。取り外し時は、嵌合板３２のプッシュ部３４を下向きに押すだけで、引掛部２１の凹部２２が嵌合板３２の凸部３３から離脱、素早く簡単にライト１０の取り付けまたは取外し作業を完了することができる。
【００１７】
図１２、１３、１４にライト１０角度調節時の立体、正面断面右面断面状態の見取図を示す。ライト１０の角度調節時は、角度調節部３０のプッシュボタン３８を押すのみでよく、即刻ライト１０を適度な角度に回すことができる。
【００１８】
図１５、１６には、本考案ライト１０角度調節後、角度調節部３０が緩んでいる場合の正面と右面状態断面見取図を示す。調節後緩んでいる状態の角度調節部３０は、バネ５０のバネ力により押し戻されて、角度調節部３０の歯車３７が改めて前嵌合部４０の内歯４５内に定位、このようにして希望に応じたライト１０角度を調節可能である。
【図面の簡単な説明】
【００１９】
【図１】本考案の立体組立表示図である。
【図２】本考案の立体分解表示図である。
【図３】本考案の正面断面組立表示図である。
【図４】本考案の図３のＤ−Ｄ断面組立図である。
【図５】本考案の図３のＳ−Ｓ断面組立図である。
【図６】本考案の支持部本体取り付け時の連続状態を示す図である。
【図７】本考案の支持部本体取り付け時の連続状態を示す図である。
【図８】本考案の支持部本体取り付け時の連続状態を示す図である。
【図９】本考案の支持部本体取り付け時の連続状態を示す図である。
【図１０】本考案の支持部本体取り付け時の連続状態を示す図である。
【図１１】本考案のライト取り付け時の状態を示す図である。
【図１２】本考案のライト角度調節時に角度調節部を押圧した場合の立体状態を示す図である。
【図１３】本考案のライト角度調節時に角度調節部を押圧した場合の正面状態一部断面を示す図である。
【図１４】本考案のライト角度調節時の右面状態一部断面を示す図である。
【図１５】本考案のライト角度調節後の角度調節部が緩んだ状態の正面一部断面を示す図である。
【図１６】本考案のライト角度調節後の右面状態一部断面を示す図である。
【符号の説明】
【００２０】
１０      ライト
１１      スイッチ
２０      後蓋
２１      引掛部
２２      凹部
３０      角度調節部
３１      嵌合溝
３２      嵌合板
３３      凸部
３４      プッシュ部
３５      バネ溝
３６      定位柱
３７      歯車
３８      プッシュボタン
４０      前嵌合部
４１      フレーム
４２      フレーム
４３      密封軸孔
４４      貫通軸孔
４５      内歯
４６      枢着孔
４７      引掛部
４８      枢着孔
４９      金属リング
５０      バネ
６０      支持部本体
６１      枢着孔
６２      嵌合板
６３      歯溝
６４      引掛部
７０      締着体
８０      バンド
８１      枢着孔
８２      金属リング
８３      輪
８４      刻目
９０      自転車サドル
９１      シートピラー
Ｐ        ネジＰ
Ｑ        貫入部品
【図１】
0003120576.tif 000003
【図２】
0003120576.tif 000004
【図３】
0003120576.tif 000005
【図４】
0003120576.tif 000006
【図５】
0003120576.tif 000007
【図６】
0003120576.tif 000008
【図７】
0003120576.tif 000009
【図８】
0003120576.tif 000010
【図９】
0003120576.tif 000011
【図１０】
0003120576.tif 000012
【図１１】
0003120576.tif 000013
【図１２】
0003120576.tif 000014
【図１３】
0003120576.tif 000015
【図１４】
0003120576.tif 000016
【図１５】
0003120576.tif 000017
【図１６】
0003120576.tif 000018